(57)【要約】  画素ユニットであって、外周辺フレーム（１０１）、主幹電極（１２０）、及び枝電極を含み、前記外周辺フレーム（１０１）は画素電極を囲み、前記主幹電極（１２０）は、前記外周辺フレーム（１０１）に接続され、且つ十字型の横方向主幹電極（１０２）及び縦方向主幹電極（１０３）を含み、前記枝電極は前記外周辺フレーム（１０１）及び前記主幹電極（１２０）に接続され、前記横方向主幹電極（１０２）に第１貫通孔（１０８）が設置され、前記縦方向主幹電極（１０３）に第２貫通孔（１０９）が設置され、前記第１貫通孔（１０８）と前記第２貫通孔（１０９）が連通し、且つ前記主幹電極（１２０）が十字環状を呈するようにする。
2020533645.tif 000002
【特許請求の範囲】
【請求項１】
画素ユニットであって、外周辺フレーム、主幹電極、及び枝電極を含み、
前記外周辺フレームは画素電極を囲み、
前記主幹電極は、前記外周辺フレームに接続され、前記主幹電極は十字型を呈し、前記主幹電極は相互に垂直な横方向主幹電極及び縦方向主幹電極を含み、前記横方向主幹電極及び前記縦方向主幹電極は前記画素電極を４つのドメインに分割し、
前記枝電極は一端が前記外周辺フレームに接続され、対向する他端が前記横方向主幹電極／前記縦方向主幹電極に接続され、
前記画素電極の１つの前記ドメイン内に、前記枝電極が相互に平行であり且つ相互に間隔をあけて設置され、且つ前記横方向主幹電極／前記縦方向主幹電極と第１所定角度をなして接続され、
第１枝電極が第４枝電極に平行であり、第２枝電極が第３枝電極に平行であり、前記第１枝電極と前記第３枝電極が第２所定角度をなし、
前記横方向主幹電極に第１貫通孔が設置され、前記縦方向主幹電極に第２貫通孔が設置され、前記第１貫通孔と前記第２貫通孔が連通し、且つ前記主幹電極が十字環状を呈するようにし、前記横方向主幹電極と前記縦方向主幹電極の交差点の中心が中空構造であり、第１サブ画素電極、第２サブ画素電極、第３サブ画素電極及び第４サブ画素電極が前記外周辺フレームによって相互に接続される、画素ユニット。
【請求項２】
前記画素ユニットはさらに光遮蔽金属層及び共通電極を含み、前記光遮蔽金属層に遮光電極が設置され、横方向遮光電極が前記横方向主幹電極に対応し、縦方向遮光電極が前記縦方向主幹電極に対応し、前記横方向遮光電極及び前記縦方向遮光電極がいずれも前記共通電極に接続される、請求項１に記載の画素ユニット。
【請求項３】
前記画素電極における前記横方向遮光電極の投影が前記第１貫通孔をカバーし、前記画素電極における前記縦方向遮光電極の投影が前記第２貫通孔をカバーする、請求項２に記載の画素ユニット。
【請求項４】
前記横方向遮光電極と前記縦方向遮光電極の幅は等しい、請求項２に記載の画素ユニット。
【請求項５】
前記第１貫通孔は前記横方向主幹電極の一端から前記横方向主幹電極の延伸方向に沿って他端に延伸し、前記第２貫通孔は前記縦方向主幹電極の一端から前記縦方向主幹電極の延伸方向に沿って他端に延伸し、前記第１貫通孔及び前記第２貫通孔は前記画素電極を第１サブ画素電極、第２サブ画素電極、第３サブ画素電極及び第４サブ画素電極に分割する、請求項２に記載の画素ユニット。
【請求項６】
第１サブ主幹電極は、前記枝電極の延伸方向に沿って、前記横方向主幹電極の前記第１貫通孔の区域において合流するまで延出し、第２サブ主幹電極は、前記枝電極の延伸方向に沿って、前記縦方向主幹電極の前記第２貫通孔の区域において合流するまで延出する、請求項５に記載の画素ユニット。
【請求項７】
前記横方向主幹電極と前記縦方向主幹電極との交差箇所において、前記第１サブ主幹電極と前記第２サブ主幹電極が重なる、請求項６に記載の画素ユニット。
【請求項８】
前記横方向主幹電極の一端から前記外周辺フレーム外に第５サブ画素電極が延出し、前記第５サブ画素電極は前記横方向主幹電極の対応するドメインに対応し、第３貫通孔によって前記画素電極をスイッチユニットに接続する、請求項２に記載の画素ユニット。
【請求項９】
請求項１に記載の画素ユニットを含む、液晶ディスプレイパネル。
【請求項１０】
画素ユニットであって、外周辺フレーム、主幹電極、及び枝電極を含み、
前記外周辺フレームは画素電極を囲み、
前記主幹電極は、前記外周辺フレームに接続され、前記主幹電極は十字型を呈し、前記主幹電極は相互に垂直な横方向主幹電極及び縦方向主幹電極を含み、前記横方向主幹電極及び前記縦方向主幹電極は前記画素電極を４つのドメインに分割し、
前記枝電極は一端が前記外周辺フレームに接続され、対向する他端が前記横方向主幹電極／前記縦方向主幹電極に接続され、
前記画素電極の１つの前記ドメイン内に、前記枝電極が相互に平行であり且つ相互に間隔をあけて設置され、且つ前記横方向主幹電極／前記縦方向主幹電極と第１所定角度をなして接続され、
第１枝電極が第４枝電極に平行であり、第２枝電極が第３枝電極に平行であり、前記第１枝電極と前記第３枝電極が第２所定角度をなし、
前記横方向主幹電極に第１貫通孔が設置され、前記縦方向主幹電極に第２貫通孔が設置され、前記第１貫通孔と前記第２貫通孔が連通し、且つ前記主幹電極を十字環状にする、画素ユニット。
【請求項１１】
前記画素ユニットはさらに光遮蔽金属層及び共通電極を含み、前記光遮蔽金属層に遮光電極が設置され、横方向遮光電極が前記横方向主幹電極に対応し、縦方向遮光電極が前記縦方向主幹電極に対応し、前記横方向遮光電極及び前記縦方向遮光電極がいずれも前記共通電極に接続される、請求項１０に記載の画素ユニット。
【請求項１２】
前記画素電極における前記横方向遮光電極の投影が前記第１貫通孔をカバーし、前記画素電極における前記縦方向遮光電極の投影が前記第２貫通孔をカバーする、請求項１１に記載の画素ユニット。
【請求項１３】
前記横方向遮光電極と前記縦方向遮光電極の幅は等しい、請求項１１に記載の画素ユニット。
【請求項１４】
前記第１貫通孔は前記横方向主幹電極の一端から前記横方向主幹電極の延伸方向に沿って他端に延伸し、前記第２貫通孔は前記縦方向主幹電極の一端から前記縦方向主幹電極の延伸方向に沿って他端に延伸し、前記第１貫通孔及び前記第２貫通孔は前記画素電極を第１サブ画素電極、第２サブ画素電極、第３サブ画素電極及び第４サブ画素電極に分割する、請求項１１に記載の画素ユニット。
【請求項１５】
第１サブ主幹電極は、前記枝電極の延伸方向に沿って、前記横方向主幹電極の前記第１貫通孔の区域において合流するまで延出し、第２サブ主幹電極は、前記枝電極の延伸方向に沿って、前記縦方向主幹電極の前記第２貫通孔の区域において合流するまで延出する、請求項１４に記載の画素ユニット。
【請求項１６】
前記横方向主幹電極と前記縦方向主幹電極との交差箇所において、前記第１サブ主幹電極と前記第２サブ主幹電極が重なる、請求項１５に記載の画素ユニット。
【請求項１７】
前記横方向主幹電極の一端から前記外周辺フレーム外に第５サブ画素電極が延出し、前記第５サブ画素電極は前記横方向主幹電極の対応するドメインに対応し、第３貫通孔によって前記画素電極をスイッチユニットに接続する、請求項１１に記載の画素ユニット。
【発明の詳細な説明】
【技術分野】
【０００１】
本発明は表示技術分野に関し、特に液晶ディスプレイパネル及びその画素ユニットに関する。
【背景技術】
【０００２】
液晶表示技術では、ＨＶＡ（ＰＳＶＡ）モードは多くのＶＡモードのうちの１種である。ＨＶＡモードの画素構造は突起が不要であり、ＰＶＡ及びＭＶＡよりも優れた利点が得られ、例えば、突起の製造工程を減少させること、突起による形状の影響を減少させること、突起による粒子の影響を減少させること等が挙げられる。
【０００３】
普通のＨＶＡ画素設計はＶＡモードの視野角の課題を克服するために、ＶＡのほかのモードと同様に、１つの画素ドメインを複数のサブ画素ドメイン（ｄｏｍａｉｎ）に分けることがあり、一般に４つのｄｏｍａｉｎである。図４に示すように、従来技術のＨＶＡ画素構造の模式図であり、画素電極の中央部にある十字型主幹電極４０１は、ｄｏｍａｉｎ間の境界線であり、暗縞が生じる部位でもある。液晶の傾斜方向が反対であるため、Ｄｏｍａｉｎ間に暗縞が不可避的に生じることがある。暗縞は液晶の傾斜方向の重複に起因するものであり、且つ液晶の傾斜が形状の影響も受けるため、暗縞の形態は不規則になる可能性がある。
【０００４】
以上のように、従来技術の画素構造では、十字型主幹電極に対応するドメインの液晶の傾斜方向が反対であるため、暗縞が不可避的に生じ、さらに表示装置の性能に悪影響してしまう。
【発明の概要】
【発明が解決しようとする課題】
【０００５】
本発明は、画素電極の十字型主幹電極で生じる暗縞を軽減させ、さらに表示装置の性能を向上させることができる液晶ディスプレイパネル及びその画素ユニットを提供する。
【課題を解決するための手段】
【０００６】
上記課題を解決するために、本発明に係る技術的手段は以下のとおりである。
【０００７】
本発明は画素ユニットを提供し、外周辺フレーム、主幹電極、及び枝電極を含み、
前記外周辺フレームは画素電極を囲み、
前記主幹電極は、前記外周辺フレームに接続され、前記主幹電極は十字型を呈し、前記主幹電極は相互に垂直な横方向主幹電極及び縦方向主幹電極を含み、前記横方向主幹電極及び前記縦方向主幹電極は前記画素電極を４つのドメインに分割し、
前記枝電極は一端が前記外周辺フレームに接続され、対向する他端が前記横方向主幹電極／前記縦方向主幹電極に接続され、
前記画素電極の１つの前記ドメイン内に、前記枝電極が相互に平行であり且つ相互に間隔をあけて設置され、且つ前記横方向主幹電極／前記縦方向主幹電極と第１所定角度をなして接続され、
第１枝電極が第４枝電極に平行であり、第２枝電極が第３枝電極に平行であり、前記第１枝電極と前記第３枝電極が第２所定角度をなし、
前記横方向主幹電極に第１貫通孔が設置され、前記縦方向主幹電極に第２貫通孔が設置され、前記第１貫通孔と前記第２貫通孔が連通し、且つ前記主幹電極が十字環状を呈するようにし、前記横方向主幹電極と前記縦方向主幹電極の交差点の中心が中空構造であり、前記第１サブ画素電極、前記第２サブ画素電極、前記第３サブ画素電極及び前記第４サブ画素電極が前記外周辺フレームによって相互に接続される。
【０００８】
本発明の一好適実施例では、前記画素ユニットはさらに光遮蔽金属層及び共通電極を含み、前記光遮蔽金属層に遮光電極が設置され、横方向遮光電極が前記横方向主幹電極に対応し、縦方向遮光電極が前記縦方向主幹電極に対応し、前記横方向遮光電極及び前記縦方向遮光電極がいずれも前記共通電極に接続される。
【０００９】
本発明の一好適実施例では、前記画素電極における前記横方向遮光電極の投影が前記第１貫通孔をカバーし、前記画素電極における前記縦方向遮光電極の投影が前記第２貫通孔をカバーする。
【００１０】
本発明の一好適実施例では、前記横方向遮光電極と前記縦方向遮光電極の幅は等しい。
【００１１】
本発明の一好適実施例では、前記第１貫通孔は前記横方向主幹電極の一端から前記横方向主幹電極の延伸方向に沿って他端に延伸し、前記第２貫通孔は前記縦方向主幹電極の一端から前記縦方向主幹電極の延伸方向に沿って他端に延伸し、前記第１貫通孔及び前記第２貫通孔は前記画素電極を第１サブ画素電極、第２サブ画素電極、第３サブ画素電極及び第４サブ画素電極に分割する。
【００１２】
本発明の一好適実施例では、第１サブ主幹電極は、前記枝電極の延伸方向に沿って、前記横方向主幹電極の前記第１貫通孔の区域において合流するまで延出し、第２サブ主幹電極は、前記枝電極の延伸方向に沿って、前記縦方向主幹電極の前記第２貫通孔の区域において合流するまで延出する。
【００１３】
本発明の一好適実施例では、前記横方向主幹電極と前記縦方向主幹電極との交差箇所において、前記第１サブ主幹電極と前記第２サブ主幹電極が重なる。
【００１４】
本発明の一好適実施例では、前記横方向主幹電極の一端から前記外周辺フレーム外に第５サブ画素電極が延出し、前記第５サブ画素電極は前記横方向主幹電極の対応するドメインに対応し、第３貫通孔によって前記画素電極をスイッチユニットに接続する。
【００１５】
本発明はさらに液晶ディスプレイパネルを提供し、前記液晶ディスプレイパネルは前記画素ユニットを含む。
【００１６】
本発明はさらに画素ユニットを提供し、外周辺フレーム、主幹電極、及び枝電極を含み、
前記外周辺フレームは画素電極を囲み、
前記主幹電極は、前記外周辺フレームに接続され、前記主幹電極は十字型を呈し、前記主幹電極は相互に垂直な横方向主幹電極及び縦方向主幹電極を含み、前記横方向主幹電極及び前記縦方向主幹電極は前記画素電極を４つのドメインに分割し、
前記枝電極は一端が前記外周辺フレームに接続され、対向する他端が前記横方向主幹電極／前記縦方向主幹電極に接続され、
前記画素電極の１つの前記ドメイン内に、前記枝電極が相互に平行であり且つ相互に間隔をあけて設置され、且つ前記横方向主幹電極／前記縦方向主幹電極と第１所定角度をなして接続され、
第１枝電極が第４枝電極に平行であり、第２枝電極が第３枝電極に平行であり、前記第１枝電極と前記第３枝電極が第２所定角度をなし、
前記横方向主幹電極に第１貫通孔が設置され、前記縦方向主幹電極に第２貫通孔が設置され、前記第１貫通孔と前記第２貫通孔が連通し、且つ前記主幹電極を十字環状にする。
【００１７】
本発明の一好適実施例では、前記画素ユニットはさらに光遮蔽金属層及び共通電極を含み、前記光遮蔽金属層に遮光電極が設置され、横方向遮光電極が前記横方向主幹電極に対応し、縦方向遮光電極が前記縦方向主幹電極に対応し、前記横方向遮光電極及び前記縦方向遮光電極がいずれも前記共通電極に接続される。
【００１８】
本発明の一好適実施例では、前記画素電極における前記横方向遮光電極の投影が前記第１貫通孔をカバーし、前記画素電極における前記縦方向遮光電極の投影が前記第２貫通孔をカバーする。
【００１９】
本発明の一好適実施例では、前記横方向遮光電極と前記縦方向遮光電極の幅は等しい。
【００２０】
本発明の一好適実施例では、前記第１貫通孔は前記横方向主幹電極の一端から前記横方向主幹電極の延伸方向に沿って他端に延伸し、前記第２貫通孔は前記縦方向主幹電極の一端から前記縦方向主幹電極の延伸方向に沿って他端に延伸し、前記第１貫通孔及び前記第２貫通孔は前記画素電極を第１サブ画素電極、第２サブ画素電極、第３サブ画素電極及び第４サブ画素電極に分割する。
【００２１】
本発明の一好適実施例では、第１サブ主幹電極は、前記枝電極の延伸方向に沿って、前記横方向主幹電極の前記第１貫通孔の区域において合流するまで延出し、第２サブ主幹電極は、前記枝電極の延伸方向に沿って、前記縦方向主幹電極の前記第２貫通孔の区域において合流するまで延出する。
【００２２】
本発明の一好適実施例では、前記横方向主幹電極と前記縦方向主幹電極との交差箇所において、前記第１サブ主幹電極と前記第２サブ主幹電極が重なる。
【００２３】
本発明の一好適実施例では、前記横方向主幹電極の一端から前記外周辺フレーム外に第５サブ画素電極が延出し、前記第５サブ画素電極は前記横方向主幹電極の対応するドメインに対応し、第３貫通孔によって前記画素電極をスイッチユニットに接続する。
【発明の効果】
【００２４】
本発明の有益な効果は、以下のおとりである。従来技術の画素ユニットに比べて、本発明の画素ユニットは画素電極の十字型主幹電極に対応する中空化処理を行うことで、主幹電極が中空の十字環状構造となるようにし、主幹電極の中空化された対応するドメインに溝の形状を形成することで、液晶に一定の向きを配向させ、それにより該当部分で異なる傾斜方向に起因する液晶の相互影響のため不規則な暗縞が生じることを回避し、また、画素電極の十字型主幹電極の対応するドメインが中空化されることで、該当部分での電界強度が弱まり、それにより電界による液晶への作用も弱まり、それにより主幹電極から分割された異なるサブ画素電極間の該当部分での液晶傾斜重複も弱まり、さらに暗縞の影響を大幅に軽減させる。
【図面の簡単な説明】
【００２５】
実施例又は従来技術における技術的手段をより明瞭に説明するために、以下、実施例又は従来技術の説明に使用される必要がある図面を簡単に説明し、明らかなように、以下説明される図面は単に発明のいくつかの実施例に過ぎず、当業者にとっては、創造的な努力をせずに、これらの図面に基づきほかの図面を取得し得る。
【００２６】
【図１】図１は本発明の実施例１に係る画素ユニットの構造模式図である。
【図２】図２は本発明の実施例１に係る画素電極の構造模式図である。
【図３】図３は本発明の実施例２に係る画素ユニットの構造模式図である。
【図４】図４は従来技術の画素構造の構造模式図である。
【発明を実施するための形態】
【００２７】
本発明は、従来技術の画素構造では、十字型主幹電極の対応するドメインの液晶の傾斜方向が反対であることにより、暗縞が不可避的に生じ、さらに表示装置の性能に悪影響を与えるという技術的課題に鑑みてなされ、本実施例は該欠陥を解決することができる。
【００２８】
以下、図面を参照して本発明の具体的な実施例に係る液晶ディスプレイパネル及びその画素ユニットを詳細に説明する。
【００２９】
図１は、本発明の具体的な実施例１に係る画素ユニットの構造模式図である。上記画素ユニットは外周辺フレーム１０１、主幹電極１２０、及び枝電極を含み、上記外周辺フレーム１０１は画素電極を囲む。上記主幹電極１２０は、上記外周辺フレーム１０１に接続され、上記主幹電極１２０は十字型を呈し、上記主幹電極１２０は相互に垂直な横方向主幹電極１０２及び縦方向主幹電極１０３を含む。上記横方向主幹電極１０２及び上記縦方向主幹電極１０３は上記画素電極を４つのドメインに分割し、上記枝電極は一端が上記外周辺フレーム１０１に接続され、対向する他端が上記横方向主幹電極１０２／上記縦方向主幹電極１０３に接続される。上記画素電極の１つの上記ドメイン内に、上記枝電極が相互に平行であり且つ相互に間隔をあけて設置され、且つ上記横方向主幹電極１０２／上記縦方向主幹電極１０３と第１所定角度をなして接続される。上記第１所定角度は好適には１０度〜８０度の範囲である。第１枝電極１０４が第４枝電極１０７に平行であり、第２枝電極１０５が第３枝電極１０６に平行であり、上記第１枝電極１０４と上記第３枝電極１０６が第２所定角度をなし、上記第２所定角度は好適には６０度〜１２０度の範囲である。ここで、上記横方向主幹電極１０２に第１貫通孔１０８が設置され、上記縦方向主幹電極１０３に第２貫通孔１０９が設置され、上記第１貫通孔１０８と上記第２貫通孔１０９が連通し、且つ上記主幹電極１２０が十字環状を呈するようにする。
【００３０】
上記画素ユニットはさらに光遮蔽金属層及び共通電極を含み、上記光遮蔽金属層に遮光電極が設置される。横方向遮光電極（図示せず）が上記横方向主幹電極１０２に対応し、縦方向遮光電極１１０が上記縦方向主幹電極１０３に対応し、上記横方向遮光電極及び上記縦方向遮光電極１１０がいずれも上記共通電極に接続される。上記画素電極における上記横方向遮光電極の投影が上記第１貫通孔１０８をカバーし、上記画素電極における上記縦方向遮光電極１１０の投影が上記第２貫通孔１０９をカバーする。上記横方向遮光電極と上記縦方向遮光電極１１０の幅は等しい。
【００３１】
上記第１貫通孔１０８は上記横方向主幹電極１０２の一端から上記横方向主幹電極１０２の延伸方向に沿って他端に延伸し、上記第２貫通孔１０９は上記縦方向主幹電極１０３の一端から上記縦方向主幹電極１０３の延伸方向に沿って他端に延伸する。上記第１貫通孔１０８及び上記第２貫通孔１０９は上記画素電極を第１サブ画素電極、第２サブ画素電極、第３サブ画素電極及び第４サブ画素電極に分割する。上記横方向主幹電極１０２の一端から上記外周辺フレーム１０１外に第５サブ画素電極１１１が延出する。上記第５サブ画素電極１１１は上記横方向主幹電極１０２の対応するドメインに対応し、第３貫通孔（図示せず）によって上記画素電極をスイッチユニット１１２に接続する。上記光遮蔽金属層はさらに金属遮光層１１３を含み、上記金属遮光層１１３の面積は上記第５サブ画素電極１１１の面積よりも大きく、上記金属遮光層１１３は上記第５サブ画素電極１１１及び上記スイッチユニット１１２に近い側の上記外周辺フレーム１０１をカバーすることに用いられる。
【００３２】
上記第１貫通孔１０８及び上記第２貫通孔１０９の対応する位置に溝の形状が形成されることで、液晶を一定の向きに配向させ、当該部分で異なる傾斜方向に起因する液晶の相互影響のための不規則な暗縞が生じることを回避する。さらに、上記画素電極の上記主幹電極１２０は中空の十字環状構造であるため、上記主幹電極１２０での電界強度が弱まり、それにより電界による液晶への作用も弱まり、異なるサブ画素間の上記主幹電極１２０での液晶傾斜重複も弱まり、それにより暗縞の影響を軽減させる。
【００３３】
本実施例では、上記第１貫通孔１０８及び上記第２貫通孔１０９はさらに間隔をあけて分布するように設置されてもよい。例えば、上記第１貫通孔１０８は少なくとも２つであり、上記横方向主幹電極１０２の延伸方向に沿って並列に間隔をあけて設置され、又は上記横方向主幹電極１０２に直交して並列に間隔をあけて設置され、又は複数組をなして並列に間隔をあけて設置される。上記第２貫通孔１０９は上記第１貫通孔１０８の分布方式と同様であるため、ここでは詳細説明を省略する。
【００３４】
図２は、本発明の実施例１に係る画素電極の構造模式図である。外周辺フレーム２０１は上記画素電極を囲み、上記画素電極は相互に垂直な十字型の横方向主幹電極２０２及び縦方向主幹電極２０４を含み、上記横方向主幹電極２０２は第１貫通孔２０３を含み、上記縦方向主幹電極２０４は第２貫通孔２０５を含む。上記第１貫通孔２０３及び上記第２貫通孔２０５は上記画素電極を第１サブ画素電極２０６、第２サブ画素電極２０７、第３サブ画素電極２０８及び第４サブ画素電極２０９に分割する。上記横方向主幹電極２０２と上記縦方向主幹電極２０４との交差点の中心は中空構造であり、上記第１サブ画素電極２０６、上記第２サブ画素電極２０７、上記第３サブ画素電極２０８及び上記第４サブ画素電極２０９は上記外周辺フレーム２０１によって相互に接続される。
【００３５】
図３は、本発明の実施例２に係る画素ユニット構造の模式図である。上記画素ユニットは、外周辺フレーム３０１、主幹電極３２０、及び枝電極を含む。上記外周辺フレーム３０１は画素電極を囲み、上記主幹電極３２０は、上記外周辺フレーム３０１に接続され、上記主幹電極３２０は十字型を呈し、上記主幹電極３２０は相互に垂直な横方向主幹電極３０２及び縦方向主幹電極３０３を含む。上記横方向主幹電極３０２及び上記縦方向主幹電極３０３は上記画素電極を４つのドメインに分割する。上記画素電極の１つの上記ドメイン内に、上記枝電極が相互に平行であり且つ相互に間隔をあけて設置され、且つ上記横方向主幹電極３０２／上記縦方向主幹電極３０３と第３所定角度をなして接続され、上記第３所定角度は好適には１０度〜８０度の範囲であり、第１枝電極３０４が第４枝電極３０７に平行であり、第２枝電極３０５が第３枝電極３０６に平行であり、上記第１枝電極３０４と上記第３枝電極３０６が第２所定角度をなし、上記第２所定角度は好適には６０度〜１２０度の範囲である。
【００３６】
ここで、上記横方向主幹電極３０２は第１サブ主幹電極３０２１を含み、上記縦方向主幹電極３０３は第２サブ主幹電極３０３１を含み、上記第１サブ主幹電極３０２１は上記横方向主幹電極３０２が上記枝電極の延伸方向に沿って第１貫通孔（図１中の１０８を参照）の区域に延出し且つ合流して形成され、上記第２サブ主幹電極３０３１は上記縦方向主幹電極３０３が上記枝電極の延伸方向に沿って第２貫通孔（図１中の１０９を参照）の区域に延出し且つ合流して形成される。上記第１サブ主幹電極３０２１によって、上記横方向主幹電極３０２に上記縦方向主幹電極３０３を鏡像とする第１スリット３０８及び第２スリット３０９を形成し、上記第２サブ主幹電極３０３１によって、上記縦方向主幹電極３０３に上記横方向主幹電極３０２を鏡像とする第３スリット３１０及び第４スリット３１１を形成し、上記第１スリット３０８、上記第２スリット３０９、上記第３スリット３１０、上記第４スリット３１１がいずれも間隔をあけて分布している。上記横方向主幹電極３０２と上記縦方向主幹電極３０３との交差箇所に、上記第１サブ主幹電極３０２１と上記第２サブ主幹電極３０３１が重なる。
【００３７】
上記第１スリット３０８、上記第２スリット３０９、上記第３スリット３１０及び上記第４スリット３１１が溝の形状を形成することで、液晶を一定の向きに配向させ、当該部分で異なる傾斜方向に起因する液晶の相互影響のため不規則な暗縞が生じることを回避する。さらに、上記横方向主幹電極３０２及び上記縦方向主幹電極３０３の対応する位置での電界強度が弱まり、それにより電界による液晶への作用も弱まり、異なるサブ画素間の上記主幹電極３２０での液晶傾斜重複も弱まり、それにより暗縞の影響を軽減させる。
【００３８】
ここで、上記第１サブ主幹電極３０２１及び上記第２サブ主幹電極３０３１は上記枝電極の延伸方向に沿って延伸しないようにしてもよく、例えば、垂直に延伸して合流し、又は弧線状に延伸して合流するなどによって、対応するスリットを形成してもよく、溝の形状を構成できればよく、ここでは上記第１サブ主幹電極３０２１及び上記第２サブ主幹電極３０３１の具体的な形態を限定しない。
【００３９】
本発明はさらに液晶ディスプレイパネルを提供し、上記液晶ディスプレイパネルは上記画素ユニットを含む。
【００４０】
従来技術の画素ユニットに比べて、本発明の画素ユニットは画素電極の十字型主幹電極に対応する中空化処理を行うことで、主幹電極が中空の十字環状構造となるようにし、主幹電極の中空化された対応するドメインに溝の形状を形成することで、液晶に一定の向きを配向させ、それにより該当部分で異なる傾斜方向に起因する液晶の相互影響のため不規則な暗縞が生じることを回避する。また、画素電極の十字型主幹電極の対応するドメインが中空化されることで、該当部分での電界強度が弱まり、それにより電界による液晶への作用も弱まり、それにより主幹電極から分割された異なるサブ画素電極間の該当部分での液晶傾斜重複も弱まり、さらに暗縞の影響を大幅に軽減させる。
【００４１】
以上のように、以上、本発明の好適実施例を開示したが、上記好適実施例は本発明を限定するものではなく、当業者は本発明の精神及び範囲を逸脱せずに種々の変更や修飾を行うことができ、従って、本発明の保護範囲は特許請求の範囲に定められた範囲に準じるべきである。
【符号の説明】
【００４２】
１０１  外周辺フレーム
１０２  横方向主幹電極
１０３  縦方向主幹電極
１０４  第１枝電極
１０５  第２枝電極
１０６  第３枝電極
１０７  第４枝電極
１０８  第１貫通孔
１０９  第２貫通孔
１１０  縦方向遮光電極
１１１  第５サブ画素電極
１１２  スイッチユニット
１１３  金属遮光層
１２０  主幹電極
２０１  外周辺フレーム
２０２  横方向主幹電極
２０３  第１貫通孔
２０４  縦方向主幹電極
２０５  第２貫通孔
２０６  第１サブ画素電極
２０７  第２サブ画素電極
２０８  第３サブ画素電極
２０９  第４サブ画素電極
３０１  外周辺フレーム
３０２  横方向主幹電極
３０３  縦方向主幹電極
３０４  第１枝電極
３０５  第２枝電極
３０６  第３枝電極
３０７  第４枝電極
３０８  第１スリット
３０９  第２スリット
３１０  第３スリット
３１１  第４スリット
３２０  主幹電極
４０１  十字型主幹電極
３０２１  第１サブ主幹電極
３０３１  第２サブ主幹電極
【図１】
2020533645.tif 000003
【図２】
2020533645.tif 000004
【図３】
2020533645.tif 000005
【図４】
2020533645.tif 000006
【国際調査報告】
2020533645.tif 000007
2020533645.tif 000008
2020533645.tif 000009
2020533645.tif 000010
2020533645.tif 000011